(57)【特許請求の範囲】
【請求項１】
キャビネットの上面に配設されたカウンター又は壁面に水栓本体とベース部材を取付け、該ベース部材にスライドパイプを上下に摺動自在及び回転自在に支承すると共に、該スライドパイプの上端にシャワーヘッドを着脱自在に支持するホルダーを連結し、スライドパイプの通し孔に挿通するシャワーホースによりシャワーヘッドと水栓本体を接続し、スライドパイプの下部にはシャワーホースを覆うためのガイドホースを連結し、シャワーホースに付着した水滴をガイドホースによりキャビネットの内部に設置した水受けタンクに収容するシャワーホースの収納構造において、前記ガイドホースはスライドパイプに回転自在に連結したことを特徴とするシャワーホースの収納構造。
【請求項２】
前記ガイドホースは軟質の合成樹脂からなり、屈曲自在としたことを特徴とする請求項１記載のシャワーホースの収納構造。
【請求項３】
前記ガイドホースはＴＰＥホースとしたことを特徴とする請求項２記載のシャワーホースの収納構造。
【発明の詳細な説明】
【０００１】
【発明の属する技術分野】
この発明は、洗面台又は流し台等で水栓本体とシャワーヘッドを接続するシャワーホースに付着した水滴を、水受けタンクに収容するようにしたシャワーホースの収納構造に関するものである。
【０００２】
【従来の技術】
従来、洗面台又は流し台等のカウンターや壁面に取付けた混合水栓が、シャワーヘッドをホルダーから引出して使用するものであると、水栓本体とシャワーヘッドを接続するシャワーホースに付着した水滴がカウンターの下方へ落下して、キャビネット内部の収納物や床面を濡らしてしまっていた。そこでシャワーホースから落下した水滴を収容するための水受けタンクをキャビネット内部に設置したものとして公知のものに図６のものがある。この図６について簡単に説明すると、カウンター４１に水栓本体４２とベース部材４３を取付け、このベース部材４３には上下に摺動自在及び回転自在のスライドパイプ４４を挿通して、該スライドパイプ４４の上部先端に結合したホルダー４５にシャワーヘッド４６を引出し自在に支持し、スライドパイプ４４の下端にはカウンター４１下部のキャビネット４０内に向けて、水栓本体４２とシャワーヘッド４６を接続するシャワーホース４７が挿通されるガイドホース４８を接続し、キャビネット４０の内部には水受けタンク４９を設置し、該水受けタンク４９の上部からガイドホース４８の下部を挿入し、シャワーホース４７はガイドホース４８内と水受けタンク４９内に収容されるものである。
【０００３】
上記のものにあっては、シャワーホースが挿通するガイドホースはスライドパイプの下端に接着又は螺着により固定されており、スライドパイプが回転するとガイドホースも一体に回転するが、ガイドホースがキャビネットの内壁面や水受けタンクの内壁面に接触していると、ガイドホースの存在が摩擦抵抗となってスライドパイプがスムーズに回転しなかったり異常音が発生し、使用感の悪いものであった。
【０００４】
【発明が解決しようとする課題】
本発明が解決しようとする課題は、水栓本体とスライドパイプの先端で支持されたシャワーヘッドとを接続するシャワーホースに付着した水滴を、水受けタンクに収容するようにしたシャワーホースの収納構造において、シャワーホースを覆うガイドホースがキャビネット内部で接触していてもスライドパイプは軽い操作で回転し、使用感を向上させることである。
【０００５】
【課題を解決するための手段】
本発明は請求項１では、キャビネットの上面に配設されたカウンター又は壁面に水栓本体とベース部材を取付け、該ベース部材にスライドパイプを上下に摺動自在及び回転自在に支承すると共に、該スライドパイプの上端にシャワーヘッドを着脱自在に支持するホルダーを連結し、スライドパイプの通し孔に挿通するシャワーホースによりシャワーヘッドと水栓本体を接続し、スライドパイプの下部にはシャワーホースを覆うためのガイドホースを連結し、シャワーホースに付着した水滴をガイドホースによりキャビネットの内部に設置した水受けタンクに収容するシャワーホースの収納構造において、前記ガイドホースはスライドパイプに回転自在に連結したものである。
【０００６】
請求項２では、前記ガイドホースは軟質の合成樹脂からなり、屈曲自在としたものである。
【０００７】
請求項３では、前記ガイドホースはＴＰＥホースとしたものである。
【０００８】
【発明の実施の形態】
以下、本発明の実施の形態を図に基づいて詳細に説明する。
本発明の実施例は図１及び図２に示すように、洗面台や流し台（実施例では洗面台Ａ）は内部を収納空間としたキャビネット１と、該キャビネット１の上面に配設されたカウンター２と、該カウンター２の略中央に配置されたボウル３とを備え、カウンター２の後方で垂直方向に立設した壁面４には、水栓本体５とベース部材９とが取付けられ、水栓本体５は壁面４から前方へ露出したレバー６の操作により混合水の温度及び流量を調節するシングルレバー式で、ベース部材９は後述するスライドパイプ１５を上下に摺動自在及び回転自在に挿通するものである。
【０００９】
前記ベース部材９は図３及び図４に示すように、壁面４の取付孔４ａに傾斜して取付けられ、内部にはカウンター２の前部側に上り傾斜する挿孔１０が形成され、上部内周には環状に開口した凹部１１が形成され、該凹部１１には後述するスライドパイプ１５を引上げた位置で固定するための支持部材１２を装着し、該支持部材１２は合成樹脂の成形による円筒状で、下端部には内方へ突出した周方向へ弾性変形可能な複数個のストッパー１３を爪状に形成し、上部から凹部１１にカバー１４を螺着することで、支持部材１２は凹部１１内に保持されている。
【００１０】
前記スライドパイプ１５は円柱状で、内部に前記水栓本体５と接続するシャワーホース８を挿通させる通し孔１６を有し、下端部周面には図４に示すようにスライドパイプ１５の上昇時に、前記支持部材１２のストッパー１３が弾力的に乗り越えるフランジ部１７が環状に突出して形成され、該フランジ部１７の下部にはフランジ部１７を乗り越えたストッパー１３が弾力的に係合する環状溝１８を凹設している。
【００１１】
スライドパイプ１５の上端外周に形成された雄ねじ部１９に結合したホルダー２０は、上部に開口部２１が形成され、該開口部２１内に略円筒状のブッシュ２２を装着している。該ブッシュ２２は上部をホルダー２０から突出して、突出した外周面の全周に雄セレーション２３を形成している。
【００１２】
前記シャワーホース８の先端に装着したシャワーヘッド７は、正面に設けたボタン７ａの操作で混合水をシャワー水又は直流水に切替えることができ、下部内周面側に螺着した接続部材２４の内周面全周に、前記ブッシュ２２の雄セレーション２３と嵌合する形状の雌セレーション２５が形成されている。従ってシャワーヘッド７の接続部材２４をブッシュ２２に支持すると、接続部材２４の雌セレーション２５とブッシュ２２の雄セレーション２３が任意の位置で嵌合し、シャワーヘッド７を所定の方向に向けた状態で回転しないようにホルダー２０に保持することができる。
【００１３】
前記スライドパイプ１５の下部には図２及び図５に示すように、水栓本体５に接続するシャワーホース８を覆うためのガイドホース２６を回転自在に連結している。該ガイドホース２６はシャワーヘッド７をホルダー２０から引出して使用した際にシャワーホース８に付着した水滴を、キャビネット１の内部に設置した水受けタンクＢに導くためのもので、軟質の合成樹脂からなるので屈曲自在であり、先端の開口部２６ａの内周に挿入される継手２７は、一端の外周にガイドホース２６の内周面に密着する環状の爪２８が形成され、他端先端には該爪２８より大径に形成した環状の鍔部２９が形成され、この継手２７はガイドホース２６の外周に嵌合するリング３０により、ガイドホース２６の開口部２６ａ内周に強固に締付けられる。ナット３１は内周面に前記継手２７の鍔部２９と向かい合う受縁３３と、スライドパイプ１５の下部外周縁に形成された雄ねじ部１９に螺着する雌ねじ部３２とが形成されており、継手２７の鍔部２９とスライドパイプ１５の下部先端面を向かい合わせて、ナット３１をスライドパイプ１５の雄ねじ部１９に螺着することで、ガイドホース２６はスライドパイプ１５に対し回転自在に連結される。
【００１４】
なお、ガイドホースは樹脂材料として有害性がない軟質ポリオレフィン系樹脂からなるＴＰＥホースとすれば、塩化ビニール樹脂からなるホースのように焼却時に有毒ガスが発生することがなく、地球環境や健康に配慮したものを提供できる。また、スライドパイプとガイドホースを回転自在に連結する構造は、前記実施例に限定されず、任意の構造を適用することができる。
【００１５】
図２に示すように、前記スライドパイプ１５はキャビネット１の内部で傾斜した状態で上下に摺動するので、ガイドホース２６はキャビネット１の内壁面に当接すると該内壁面に沿うように屈曲し、ガイドホース２６の下部はキャビネット１の内部に設置された水受けタンクＢと向かい合う。従ってシャワーホース８に付着した水滴はガイドホース２６により、水受けタンクＢに導くことができる。
【００１６】
上記構成において、図２及び図３に示すシャワーヘッド７がベース部材９に支持された状態では、シャワーヘッド７は比較的低い位置にあり、水栓本体５のレバー６を操作すればシャワーホース８を通過した混合水がシャワーヘッド７から吐水し、手洗いや洗顔を良好に行うことができる。この場合、ガイドホース２６はキャビネット１の内壁面に摺接し、ホルダー２０をスライドパイプ１５と共に回転させるとガイドホース２６が摩擦抵抗となるが、ガイドホース２６はスライドパイプ１５に対し回転自在に連結しているので、スライドパイプ１５に追従して回転することはなく、スライドパイプ１５のみが単独で回転可能である。従ってガイドホース２６がキャビネット１の壁面４や水受けタンクＢの内面に摺接していても、摩擦抵抗となったり異音が発生することはなく、スライドパイプ１５をスムーズに回転させることができる。
【００１７】
次に洗髪等を行うためにシャワーヘッド７の高さを変更するには、図４に示すようにシャワーヘッド７をホルダー２０と共にベース部材９から傾斜方向に上昇させる。
【００１８】
洗髪終了後はシャワーヘッド７を握り、傾斜方向に押し下げれば、図３に示す状態に戻すことができる。
【００１９】
なお、上述した実施例においては混合水栓は壁面に取付けたが、本発明はこれに限定されるものではなく、混合水栓をカウンター上に取付けてもよい。
【００２０】
また、混合水栓はシングルレバー式に限らず、サーモスタットあるいは２ハンドル式であってもよく、さらにベース部材に水栓本体を一体に装着してもよい。
【００２１】
【発明の効果】
本発明では請求項１では、キャビネットの上面に配設されたカウンター又は壁面に水栓本体とベース部材を取付け、該ベース部材にスライドパイプを上下に摺動自在及び回転自在に支承すると共に、該スライドパイプの上端にシャワーヘッドを着脱自在に支持するホルダーを連結し、スライドパイプの通し孔に挿通するシャワーホースによりシャワーヘッドと水栓本体を接続し、スライドパイプの下部にはシャワーホースを覆うためのガイドホースを連結し、シャワーホースに付着した水滴をガイドホースによりキャビネットの内部に設置した水受けタンクに収容するシャワーホースの収納構造において、前記ガイドホースはスライドパイプに回転自在に連結したので、スライドパイプの回転時にガイドホースがキャビネットや水受けタンクの内壁面に摺接して摩擦抵抗となったり異音が発生することはなく、スライドパイプをスムーズに回転させることができ、使い勝手を大幅に向上させることができる。
【００２２】
また請求項２では、ガイドホースは軟質の合成樹脂からなり、屈曲自在としたので、キャビネットや水受けタンクの内壁面に当接すると屈曲し、スライドパイプの回転時の摩擦抵抗を減少させることができる。
【００２３】
さらに請求項３では、前記ガイドホースはＴＰＥホースとしたので、塩化ビニール樹脂からなるホースのように焼却時に有毒ガスが発生することがなく、地球環境や健康に配慮したものを提供できる。
【図面の簡単な説明】
【図１】洗面台の正面図である。
【図２】洗面台の一部破断した側面図である。
【図３】シャワーヘッドをベース部材に支持した状態の側断面図である。
【図４】シャワーヘッドをベース部材から引出した状態の側断面図である。
【図５】スライドパイプとガイドホースの連結部の拡大説明図である。
【図６】従来技術の説明図である。
【符号の説明】
１                  キャビネット
２                  カウンター
４                  壁面
５                  水栓本体
７                  シャワーヘッド
８                  シャワーホース
９                  ベース部材
１５                スライドパイプ
１６                通し孔
２０                ホルダー
２６                ガイドホース
Ｂ                  水受けタンク
【図１】
0003699015.tif 000002
【図２】
0003699015.tif 000003
【図３】
0003699015.tif 000004
【図４】
0003699015.tif 000005
【図５】
0003699015.tif 000006
【図６】
0003699015.tif 000007